(57)【要約】【課題】発表者の負担を軽減しつつ、視聴者に描かれた文字や図形を見やすく表示する自由度の大きいディスプレイ装置を提供する。【解決手段】タッチパネル１１を搭載したディスプレイ装置１０において、タッチ面の任意のエリアを選択する編集エリア選択手段１３ａと、前記編集エリア選択手段１３ａで選択されたエリア内にある描画データを線幅を有する線分データの組み合せとして認識し、ディスプレイ画面へ表示する該描画データの全体サイズを拡大または縮小するとともに、前記線分データの線幅を任意の倍率で変更する拡大縮小手段１３ｂとを備える。【選択図】        図１
2004239998.tif 000002
【特許請求の範囲】
【請求項１】
入力手段により手書き入力されるタッチ面を有し、該タッチ面への入力手段の入力を検出し、該入力が検出された前記タッチ面上の位置をタッチ位置信号として出力するタッチパネルと、前記タッチ位置信号の集合データである描画データを表示するディスプレイ画面とを備えたディスプレイ装置において、
前記タッチ面の任意のエリアを選択する編集エリア選択手段と、
前記編集エリア選択手段で選択されたエリア内にある描画データを線幅を有する線分データの組み合せとして認識し、ディスプレイ画面へ表示する該描画データの全体サイズを拡大または縮小するとともに、前記線分データの線幅を任意の倍率で変更する拡大縮小手段とを備えたことを特徴とするディスプレイ装置。
【請求項２】
前記線分データはディスプレイ画面上の相互に直交する縦方向の線分、横方向の線分のいずれかであり、前記線幅は縦方向の線分、横方向の線分ごとに任意の倍率で変更されることを特徴とする請求項１に記載のディスプレイ装置。
【請求項３】
前記編集エリア選択手段で選択されたエリアは、前記線分データの縦横方向に対応した縦方向２本のマーカーと横方向２本のマーカーとで囲まれる長方形のエリアとして前記ディスプレイ画面に表示され、前記縦方向のマーカーには独立した横方向の移動によって該エリア内の描画データの横方向への拡大縮小可能なハンドルが設けられ、前記横方向のマーカーには独立した縦方向の移動によって該エリア内の描画データの縦方向への拡大縮小可能なハンドルが設けられ、
前記マーカーのハンドルの移動によって、前記移動方向に対応する方向の線分データの線幅の変更が行われることを特徴とする請求項２に記載のディスプレイ装置。
【請求項４】
前記編集エリア選択手段で選択されたエリアは、前記線分データの縦横方向に対応した縦方向２本のマーカーと横方向２本のマーカーとで囲まれる長方形のエリアとして前記ディスプレイ画面に表示され、前記エリアの４隅に移動によって該エリア内の描画データの拡大縮小可能なハンドルが設けられ、
前記ハンドルの移動によって、前記移動方向に対応する方向の直線データの線幅の変更が行われることを特徴とする請求項２に記載のディスプレイ装置。
【請求項５】
前記線幅は、ハンドルの移動によって変化するマーカーの線分長さの変化前後の比に任意の数値を乗じた倍率で変更されることを特徴とする請求項３または４に記載のディスプレイ装置。
【請求項６】
前記描画データの拡大または縮小に関して、前記線幅の変更の実行可否を選択可能としたことを特徴とする請求項１に記載のディスプレイ装置。
【発明の詳細な説明】
【０００１】
【発明の属する技術分野】
本発明は、タッチパネル上に手書きにより入力された文字や図形の拡大縮小表示が可能なディスプレイ装置に関するものである。
【０００２】
【従来の技術】
従来から、ある者が複数の視聴者を対象に講義や講演を行う場合に、その内容の理解を深めてもらうために黒板やホワイトボードに文字や図形を描いて説明することがある。また、学会などで研究成果を発表する場合や商品説明などのプレゼンテーションを行う場合にも、同様に黒板やホワイトボードに文字や図形を描いて視覚に訴えることがある。このような場合に、最近では粉のでるチョークに代わってペンを使ってホワイトボード上に描かれることが多くなっている。
【０００３】
しかし、上記方法では、消耗品であるペンを利用するため、描いている途中でペンのインクが切れて線がかすれてしまい、見にくくなることがあった。また、多数の人に見てもらうためにホワイトボード上に文字や図形を大きく描く必要があり、発表者の負担となっていた。さらに、せっかくそのように描いても視聴者には見にくい場合もあり、発表者の努力も無駄になることも多かった。
【０００４】
そこで、発表者の負担を軽減しつつ、視聴者に描かれた文字や図形を見やすく表示するものとして、タッチパネルを搭載したディスプレイ装置が提供されている。これは、映像等を表示するディスプレイ画面にタッチパネルを積層配置し、タッチパネル上でペンや指により書き込まれた文字や図形（描画データ）をそのペン等の接触圧力検出により位置情報として検出し、その位置情報を基にディスプレイ画面に表示するものであり、画面上での描画データの拡大縮小表示も可能である。
【０００５】
また、圧電素子器とＬＥＤ表示器との二重構造となった表示装置とし、書き棒によって加えられた圧力を圧電素子器により検出し、その検出された位置情報を基にＬＥＤ表示するものであり、書き込まれた文字や図形を画像データとして認識され、画像拡大／縮小手段により表示サイズの拡大縮小が行われる電子黒板が提供されている（例えば、特許文献１参照。）。
【０００６】
【特許文献１】
特開平１０−１３６１３９号公報（段落［０００６］〜［０００９］、図３）
【０００７】
【発明が解決しようとする課題】
しかしながら、タッチパネルを搭載したディスプレイ装置における入力された位置情報を基にディスプレイ画面に表示する方式では、拡大または縮小表示する際には、描画データの全体サイズは所定の倍率で拡大または縮小されて表示されるが、描画データを表示する画面上の描線の幅自体は拡大縮小後も元の表示幅のままであり、必ずしも見やすい表示とはならなかった。その例を図１０に示す。描画データ「Ａ」を構成する位置情報は画面上の点（ａ〜ｅ）として認識されており、点と点とが線分で結ばれて描画データとして画面表示されるものである（図１０（ａ））。そのため、拡大表示されても、描線の幅自体は拡大縮小後も元の表示幅のままである（図１０（ｂ））。
【０００８】
また、描画データを画像データとして認識し表示する方式では、全体サイズの拡大縮小に伴って描線の幅も同じ倍率で拡大縮小され見やすさは改善されるが、もう少し描線の幅を大きくした方が見やすい場合など入力された文字や図形によってはその改善が不充分であった。
【０００９】
本発明は、以上の従来技術における問題に鑑みてなされたものであり、発表者の負担を軽減しつつ、視聴者に描かれた文字や図形を見やすく表示する自由度の大きいディスプレイ装置を提供することを目的とする。
【００１０】
【課題を解決するための手段】
前記課題を解決するために提供する請求項１の発明に係るディスプレイ装置は、入力手段により手書き入力されるタッチ面を有し、該タッチ面への入力手段の入力を検出し、該入力が検出された前記タッチ面上の位置をタッチ位置信号として出力するタッチパネルと、前記タッチ位置信号の集合データである描画データを表示するディスプレイ画面とを備えたディスプレイ装置において、前記タッチ面の任意のエリアを選択する編集エリア選択手段と、前記編集エリア選択手段で選択されたエリア内にある描画データを線幅を有する線分データの組み合せとして認識し、ディスプレイ画面へ表示する該描画データの全体サイズを拡大または縮小するとともに、前記線分データの線幅を任意の倍率で変更する拡大縮小手段とを備えたことを特徴とする。
【００１１】
請求項１の発明により、編集エリア選択手段で選択されたエリアの手書きの描画データを拡大縮小したときに、その描画データの線分の線幅を自動的に予め設定された任意の倍率で変更することにより、描画データ全体としてバランスの良い手書きデータとして表示することが可能となる。
【００１２】
前記課題を解決するために提供する請求項２の発明に係るディスプレイ装置は、請求項１の発明において、前記線分データはディスプレイ画面上の相互に直交する縦方向の線分、横方向の線分のいずれかであり、前記線幅は縦方向の線分、横方向の線分ごとに任意の倍率で変更されることを特徴とする。
【００１３】
請求項２の発明により、描画データの線幅についてディスプレイ画面上の縦方向、横方向それぞれ独立して拡大縮小が可能となり、ディスプレイ画面上で視認性のよい描画データとすることが可能となる。
【００１４】
前記課題を解決するために提供する請求項３の発明に係るディスプレイ装置は、請求項２の発明において、前記編集エリア選択手段で選択されたエリアは、前記線分データの縦横方向に対応した縦方向２本のマーカーと横方向２本のマーカーとで囲まれる長方形のエリアとして前記ディスプレイ画面に表示され、前記縦方向のマーカーには独立した横方向の移動によって該エリア内の描画データの横方向への拡大縮小可能なハンドルが設けられ、前記横方向のマーカーには独立した縦方向の移動によって該エリア内の描画データの縦方向への拡大縮小可能なハンドルが設けられ、前記マーカーのハンドルの移動によって、前記移動方向に対応する方向の直線データの線幅の変更が行われることを特徴とする。
前記課題を解決するために提供する請求項４の発明に係るディスプレイ装置は、請求項２の発明において、前記編集エリア選択手段で選択されたエリアは、前記線分データの縦横方向に対応した縦方向２本のマーカーと横方向２本のマーカーとで囲まれる長方形のエリアとして前記ディスプレイ画面に表示され、前記エリアの４隅に移動によって該エリア内の描画データの拡大縮小可能なハンドルが設けられ、前記ハンドルの移動によって、前記移動方向に対応する方向の直線データの線幅の変更が行われることを特徴とする。
前記課題を解決するために提供する請求項５の発明に係るディスプレイ装置は、請求項３または４の発明において、前記線幅は、ハンドルの移動によって変化するマーカーの線分長さの変化前後の比に任意の数値を乗じた倍率で変更されることを特徴とする。
【００１５】
請求項３〜５の発明により、ディスプレイ画面を見ながら拡大縮小したい描画データを選択し、拡大縮小したい方向（縦方向のみ、横方向のみ、あるいは両方向）に全体サイズをディスプレイ画面を見ながら好みの倍率で拡大縮小することが可能となる。また、その際に線幅を任意の倍率で変更することが可能である。
なお、線幅変更の倍率をディスプレイ画面で確認しながら変更できるようにしてもよい。
【００１６】
前記課題を解決するために提供する請求項６の発明に係るディスプレイ装置は、請求項１の発明において、前記描画データの拡大または縮小に関して、前記線幅の変更の実行可否を選択可能としたことを特徴とする。
【００１７】
請求項６の発明により、線幅の変更の実行可否を選択する機能を設けることで、従来の描画データの全体サイズのみを拡大縮小した表示、あるいは全体サイズの拡大縮小の倍率と同じ倍率で線幅を拡大縮小した表示も選択できるようになり描画データの拡大縮小表示に関してユーザーの選択幅を広くすることが可能となる。
【００１８】
【発明の実施の形態】
以下に、本発明に係るディスプレイ装置の実施の形態にについて図面を参照して説明する。
図１は、本発明に係るディスプレイ装置の基本構成を示すブロック図である。
ディスプレイ装置１０は、透明でペンや指などの入力手段により手書き入力されるタッチ面を有し、該タッチ面への入力手段の入力を検出し、該入力が検出された前記タッチ面上の位置をタッチ位置信号として出力するタッチパネル１１と、タッチパネル１１が表面に積層配置され、前記タッチ位置信号の集合データである描画データを表示するディスプレイ画面１２と、前記タッチパネルからのタッチ位置信号を受信し、タッチ位置信号の集合データを描画データとして拡大縮小処理などの情報処理を行って、処理後の描画データを前記ディスプレイ画面に出力して表示させるＣＰＵ１３と、図示していない入力手段とを備えた構成となっている。
【００１９】
タッチパネル１１は、タッチ面に手書き入力される入力手段の入力を検出し、該入力が検出された前記タッチ面上の位置をタッチ位置信号として出力する方式であれば、どのような方式のものでもよい。例えば、一対の下部ガラス電極板（Ｙ電極）間に抵抗膜を設けたものと、一対の上部透過フィルム電極（Ｘ電極）間に抵抗膜を設けたものとによりスペーサー挟みこんだ構成とし、いずれか一方の電極にバイアス電圧を印加し、他方の電極から電圧検出することにより入力位置の座標が検出される抵抗膜式の接触圧力を検出するタッチパネルであればよい。また、レーザーペンのレーザー光を検出する方式であってもよい。
【００２０】
ディスプレイ画面１２は、映像表示用の画面であり、例えば液晶ディスプレイ画面、プラズマ現象を利用したプラズマディスプレイ、スクリーン背面からプロジェクターの画像光を投射するリアプロジェクター方式のディスプレイ画面などであればよい。このようなディスプレイ画面１２は、画面平面をＸ−Ｙ二元系座標平面として微小な画素を点として配列した構成となっており、その表示能力として例えばつぎの方式がある。
ＶＧＡ方式；Ｘ軸方向表示画素６４０ドット×Ｙ軸方向表示画素４８０ドット
ＸＧＡ方式；Ｘ軸方向表示画素１０２４ドット×Ｙ軸方向表示画素７６８ドット
【００２１】
描画データを構成する線分の線幅は上記方式の違い、すなわちドット数の違いと画面の大きさの違いにより異なってくる。したがって、選択された描画データの拡大または縮小処理の際には、線幅が表示方式と画面の大きさとから一番近い適切な幅として表示されるように画素の点滅が制御されることが好ましい。
【００２２】
ＣＰＵ１３は、タッチ面の任意のエリアを選択する編集エリア選択手段１３ａと、該編集エリア選択手段１３ａで選択されたエリア内にある描画データを線幅を有する線分データの組み合せとして認識し、ディスプレイ画面へ表示する該描画データの全体サイズを拡大または縮小処理するとともに、前記線分データの線幅を任意の倍率で変更する拡大縮小手段１３ｂとを備えている。これらの手段はプログラムメニューとして、ディスプレイ画面１２上に表示して、入力手段によるタッチパネル１１へのタッチにより選択されるようにすればよい。
【００２３】
本発明のディスプレイ装置１０には、ＣＰＵ１３からのデータを表示するモードと、専用アプリケーションを使用してディスプレイ画面１２上のタッチパネル１１のタッチ面からペンや指先により手書きされた文字や図形を入力し、そのペンや指等の描いた跡を位置情報の集合データ（描画データ）としてディスプレイ画面１２に表示する電子黒板モードとがある。
【００２４】
また、この描画データを編集するために消しゴム機能を利用して描画データの一部分を消去するための機能や、編集エリアを指定して表示色を変更する機能、エリア全体の表示位置を移動する機能などが装備されている。このうち、本発明の根幹を成す描画データの拡大縮小処理及び表示機能により、まず編集する対象の描画データの範囲を選択するエリア設定が行われ、ついで選択されたエリア内の描画データについて所定の倍率で拡大または縮小処理されるときに、描画データを構成する線分の線幅が同時に変更されることにより表示バランスよく拡大または縮小された文字や図形の表示が行われる。
【００２５】
本発明に係るディスプレイ装置の第１の実施の形態について以下に説明する。
図２（ａ）は、ペン入力により描画されたデータ「ＡＢＣ」がディスプレイ画面１２上に表示された状態を示している。このとき、ディスプレイ画面１２の表示画面は、ディスプレイ画面１２の左上を原点（０，０）とするＸ−Ｙ二元系座標平面として見立てられており、ペン入力により書き込まれた「ＡＢＣ」は、タッチパネル１１のタッチ面にペンが接触した位置がＸ−Ｙ二元系座標平面上の位置情報として認識される。このペンによる連続した書込みにより描かれた線図が前記位置情報の連続した集合データとして認識され、ＣＰＵ１３のメモリにその集合データが保存されて、Ｘ−Ｙ二元系座標平面上の該当位置に所定の線幅をもった描画としてディスプレイ画面１２に表示されている。また、ディスプレイ画面１２の下部に編集エリア選択手段１３ａを機能させるためのエリア設定ボタンと、拡大縮小手段１３ｂを機能させるための拡大ボタン及び縮小ボタンとが表示されている。
【００２６】
（エリア設定）
ディスプレイ画面１２上のエリア設定ボタンを入力ペン等によりタッチし、エリア設定モードとした後、図２（ａ）に示すように点Ｐを入力ペンでタッチし、タッチしたまま点Ｓにドラッグすることにより、点ＰＱＲＳで囲まれるエリアが選択される。このときの設定されたエリアのＸ軸方向の幅はＬｘであり、Ｙ軸方向の幅はＬｙである。
【００２７】
このエリアで囲まれた時点でエリア範囲内の描画データは、ＣＰＵ１３において線幅を有するＸ軸方向の線分データとＹ軸方向の線分データとからなる組み合せデータとして認識される。図２（ｂ）においては、Ｘ軸方向の線幅Ｗａｘの線分、Ｙ軸方向の線幅Ｗａｙの線分として認識される。
【００２８】
（拡大処理）
編集エリア設定後、ディスプレイ画面１２上の拡大ボタンを入力ペン等によりタッチすることにより、編集対象の描画データの拡大処理が行われる。
図３にその表示状態を示す。描画データの全体サイズは、図３（ａ）に示すようにエリアのＸ軸方向の拡大率ｎ１（ｎ１＞１）、Ｙ軸方向の拡大率ｍ１（ｍ１＞１）の倍率で拡大され、Ｘ軸方向の幅がｎ１・Ｌｘ、Ｙ軸方向の幅がｍ１・Ｌｙとなる。
【００２９】
このとき、描画データを構成する線分のうち、Ｘ軸方向の線幅Ｗｂｘ及びＹ軸方向の線幅Ｗｂｙは、次式に基づいて拡大される（図３（ｂ））。
【００３０】
【数１】
Ｗｂｘ  ＝  ｋｂｘ・ｎ１・Ｗａｘ
Ｗｂｙ  ＝  ｋｂｙ・ｍ１・Ｗａｙ
【００３１】
（縮小処理）
編集エリア設定後、ディスプレイ画面１２上の縮小ボタンを入力ペン等によりタッチすることにより、編集対象の描画データの縮小処理が行われる。
図４にその表示状態を示す。描画データの全体サイズは、図４（ａ）に示すようにエリアのＸ軸方向の縮小率ｎ２（ｎ２＜１）、Ｙ軸方向の縮小率ｍ２（ｍ２＜１）の倍率で縮小され、Ｘ軸方向の幅がｎ２・Ｌｘ、Ｙ軸方向の幅がｍ２・Ｌｙとなる。
【００３２】
このとき、描画データを構成する線分のうち、Ｘ軸方向の線幅Ｗｃｘ及びＹ軸方向の線幅Ｗｃｙは、次式に基づいて縮小される（図４（ｂ））。
【００３３】
【数２】
Ｗｃｘ  ＝  ｋｃｘ・ｎ２・Ｗａｘ
Ｗｃｙ  ＝  ｋｃｙ・ｍ２・Ｗａｙ
【００３４】
上記係数ｋｂｘ、ｋｂｙ、ｋｃｘ、ｋｃｙは線幅を任意に設定するための係数であり、ディスプレイ画面１２上に表示された文字や図形が見やすくなるように、あるいは印象深くなるように調整される。
【００３５】
すなわち、係数ｋｂｘ、ｋｂｙ、ｋｃｘ、ｋｃｙそれぞれが「１」の場合には、線幅はＸ軸方向、Ｙ軸方向の全体サイズの倍率と同じ倍率となり、元の文字や図形がそのまま拡大または縮小したような表示となる。
【００３６】
係数ｋｂｘ、ｋｂｙ、ｋｃｘ、ｋｃｙそれぞれが「１より小」の場合には、全体サイズの拡大または縮小に比べて線幅は細めに表示されるようになる。
逆に、係数ｋｂｘ、ｋｂｙ、ｋｃｘ、ｋｃｙそれぞれが「１より大」の場合には、全体サイズの拡大または縮小に比べて線幅は太めに表示されるようになる。
【００３７】
また、係数ｋｂｘまたはｋｃｘを「１より小」とし、係数ｋｂｙまたはｋｃｙを「１より大」とすることにより、Ｘ軸方向の線幅は全体サイズの拡大または縮小に比べて線幅は細めに表示され、Ｙ軸方向の線幅は全体サイズの拡大または縮小に比べて線幅は太めに表示されるようになる。
【００３８】
なお、上記係数ｋｂｘ、ｋｂｙ、ｋｃｘ、ｋｃｙは、視覚的に得られる描画品質（文字品質、図形品質）から決定され、ＣＰＵ１３の中の拡大縮小処理の演算処理に関する係数として保持されている。
【００３９】
なお、上記の拡大縮小処理に関わる倍率は、拡大または縮小ボタンが選択されるごとに所定の倍率で自動的に拡大または縮小処理されるように設定しておいてもよく、あるいは拡大または縮小ボタンが選択された後に拡大率または縮小率をメニュー形式で選択されるように構成してもよい。
【００４０】
次に、本発明に係るディスプレイ装置の第２の実施の形態について以下に説明する。
図５（ａ）は、ペン入力により描画されたデータ「ＡＢＣ」がディスプレイ画面１２上に表示された状態を示している。ディスプレイ画面１２の表示画面をＸ−Ｙ二元系座標平面として、ペン入力により書き込まれた「ＡＢＣ」が認識され、Ｘ−Ｙ二元系座標平面上の該当位置に所定の線幅をもった描画としてディスプレイ画面１２に表示される状態は第１の実施の形態と同様である。また、ディスプレイ画面１２の下部に編集エリア選択手段１３ａを機能させるためのエリア設定ボタンが表示されている。
【００４１】
（エリア設定）
ディスプレイ画面１２上のエリア設定ボタンを入力ペン等によりタッチし、エリア設定モードとした後、第１の実施の形態と同様に入力ペンでタッチ＆ドラッグすることによりエリアが選択される。すると、図５（ａ）に示すようにマーカー２１〜２４で囲まれる長方形のエリアがディスプレイ画面１２に表示される。このときの設定されたエリアのＸ軸方向の幅はＬｘであり、Ｙ軸方向の幅はＬｙである。
【００４２】
上記エリアは拡大縮小処理を行う描画データを設定するためのものであり、マーカー２１、２３それぞれの中央のＸ軸拡大縮小ハンドルｈｘと、マーカー２２、２４それぞれの中央のＹ軸拡大縮小ハンドルｈｙと、エリアの４隅のＸＹ同時拡大縮小ハンドルｈｘｙとからなる計８個の拡大縮小手段１３ｂを機能させるためのハンドルが設けられている。このうち、Ｘ軸拡大縮小ハンドルｈｘをドラッグすることにより、対象の描画データについてＸ軸方向独立の拡大または縮小処理することが可能である。また、Ｙ軸拡大縮小ハンドルｈｙをドラッグすることにより、対象の描画データについてＹ軸方向独立の拡大または縮小処理することが可能である。さらに、ＸＹ同時拡大縮小ハンドルｈｘｙをドラッグすることにより、対象の描画データについてＸ軸、Ｙ軸方向同時に拡大または縮小処理することが可能である。このような機能は従来公知のアプリケーションソフトに採用されている機能を利用するものであってもよい。
【００４３】
このエリアで囲まれた時点でエリア範囲内の描画データは、ＣＰＵ１３において線幅を有するＸ軸方向の線分データとＹ軸方向の線分データとからなる組み合せデータとして認識される。図５（ｂ）においては、Ｘ軸方向の線幅Ｗｘの線分、Ｙ軸方向の線幅Ｗｙの線分として認識されている。
【００４４】
以下に、図５（ａ）に示された描画データ「ＡＢＣ」について、拡大処理する例を説明する。
編集エリア設定後、編集エリアの８個のハンドルの中の１つをマウス等で所定方向にドラッグすることにより、編集対象の描画データの拡大処理が行われる。このハンドルをドラッグすることにより選択エリアを連続的に拡大または縮小することができ、画面上で確認しながら選択された描画データを連続的に拡大または縮小することが可能である。このとき、線幅も同様に連続的に拡大または縮小される。
【００４５】
図６は、図５（ａ）において編集エリアの右下のハンドルｈｘｙを右下方向にドラッグして拡大処理した後の表示状態を示すものである。描画データの全体サイズは、図６（ａ）に示すようにエリアのＸ軸方向の拡大率ｑ１（ｑ１＞１）、Ｙ軸方向の拡大率ｐ１（ｐ１＞１）の倍率で拡大され、Ｘ軸方向の幅がｑ１・Ｌｘ、Ｙ軸方向の幅がｐ１・Ｌｙとなる。
【００４６】
このとき、描画データを構成する線分のうち、Ｘ軸方向の線幅Ｗ１ｘ及びＹ軸方向の線幅Ｗ１ｙは、次式に基づいて拡大される（図６（ｂ））。
【００４７】
【数３】
Ｗ１ｘ  ＝  ｋ１ｘ・ｑ１・Ｗｘ
Ｗ１ｙ  ＝  ｋ１ｙ・ｐ１・Ｗｙ
【００４８】
図７は、図５（ａ）において編集エリアの右下のハンドルｈｘｙを右下方向にドラッグして横長に拡大処理した後の描画データ「Ａ」の表示状態を示すものである。描画データの全体サイズは、エリアのＸ軸方向の拡大率ｑ２（ｑ２＞１）、Ｙ軸方向の拡大率ｐ２（ｐ２＞１）の倍率で拡大され、Ｘ軸方向の幅がｑ２・Ｌｘ、Ｙ軸方向の幅がｐ２・Ｌｙとなる。なお、ｑ２＞ｐ２の関係となっている。
【００４９】
このとき、描画データを構成する線分のうち、Ｘ軸方向の線幅Ｗ２ｘ及びＹ軸方向の線幅Ｗ２ｙは、次式に基づいて拡大される。
【００５０】
【数４】
Ｗ２ｘ  ＝  ｋ２ｘ・ｑ２・Ｗｘ
Ｗ２ｙ  ＝  ｋ２ｙ・ｐ２・Ｗｙ
【００５１】
図８は、図５（ａ）において編集エリアの右下のハンドルｈｘｙを右下方向にドラッグして縦長に拡大処理した後の描画データ「Ａ」の表示状態を示すものである。描画データの全体サイズは、エリアのＸ軸方向の拡大率ｑ３（ｑ３＞１）、Ｙ軸方向の拡大率ｐ３（ｐ３＞１）の倍率で拡大され、Ｘ軸方向の幅がｑ３・Ｌｘ、Ｙ軸方向の幅がｐ３・Ｌｙとなる。なお、ｑ２＜ｐ２の関係となっている。
【００５２】
このとき、描画データを構成する線分のうち、Ｘ軸方向の線幅Ｗ３ｘ及びＹ軸方向の線幅Ｗ３ｙは、次の式５に基づいて拡大される。
【００５３】
【数５】
Ｗ３ｘ  ＝  ｋ３ｘ・ｑ３・Ｗｘ
Ｗ３ｙ  ＝  ｋ３ｙ・ｐ３・Ｗｙ
【００５４】
上記係数ｋ１ｘ、ｋ１ｙ、ｋ２ｘ、ｋ２ｙ、ｋ３ｘ、ｋ３ｙは線幅を任意に設定するための係数であり、ディスプレイ画面１２上に表示された文字や図形が見やすくなるように、あるいは印象深くなるように調整される。その調整によって表示される描画データの見え方は第１の実施の形態の場合と同様である。
【００５５】
上記では拡大処理を例にとって説明したが、縮小処理については編集エリアのハンドルを縮小する方向にドラッグする点と係数が縮小処理用の係数である点とが異なるのみで、処理内容や表示内容は拡大処理の場合と同様である。
【００５６】
また、本発明に係るディスプレイ装置のアプリケーションの中で、線幅変更に関する機能について「使用可能」、「使用しない」のいずれかを設定することにより、従来の描画データの全体サイズ拡大縮小処理の際に線幅を変更せずに表示する形式も選択可能とすることでユーザーの使い勝手を広げるようにしてもよい。
【００５７】
以上のように、本発明に係るディスプレイ装置によれば、編集エリアで選択された描画データを選択エリアの拡大または縮小の倍率に応じて描画データを構成する線分の線幅を自動的に変更することにより、文字または図形として手書き入力されたものと同様あるいはより見やすくなるようにバランスのよい表示が可能となる。
【００５８】
図９に本発明を適用した実施例を示す。
実施例のディスプレイ装置１００は、ディスプレイ画面として大型リアプロジェクター１２０と、その大型リアプロジェクター１２０表面に積層配置したタッチ面１１１を有するタッチパネル１１０と、タッチパネル１１０のドライバー、手書き入力の描画データを大型リアプロジェクター１２０に表示するための表示用アプリケーション、編集エリア選択手段及び拡大縮小手段などの描画データの拡大縮小処理に関するアプリケーション等が搭載されたパソコン１３０とを備えている。
【００５９】
このディスプレイ装置１００では、大型リアプロジェクター１２０画面上のタッチパネル１１０でレーザーペンにより手書き入力された文字や図形が描画データとして認識され、その描画データがパソコン１３０のメモリに保存されると同時に、大型リアプロジェクター１２０画面上のタッチパネル１１０での入力位置に対応する位置にその描画データが表示される。
【００６０】
ついで、ユーザーが画面上のエリア設定ボタンをレーザーペンによりタッチし、エリア設定モードとした後、ユーザーが拡大または縮小して表示したい描画データが選択されるように選択エリアが設定される。
【００６１】
ついで、ユーザーの好みに応じて選択エリア全体を拡大または縮小する指定を行うことにより、編集エリアで選択された描画データの全体サイズが選択エリアの拡大または縮小の倍率に応じて拡大または縮小表示される。それと同時に描画データを構成する線分の線幅が自動的に変更されることにより、文字または図形として手書き入力されたものよりも見やすくなるようにバランスよく表示される。
【００６２】
【発明の効果】
上述のように、請求項１の発明によれば、編集エリア選択手段で選択されたエリアの手書きの描画データを拡大縮小したときに、その描画データの線分の線幅を自動的に予め設定された任意の倍率で変更することにより、描画データ全体としてバランスの良い手書きデータとして表示することができる。
請求項２の発明によれば、描画データの線幅についてディスプレイ画面上の縦方向、横方向それぞれ独立して拡大縮小することにより、ディスプレイ画面上で視認性のよい描画データとすることができる。
請求項３〜５の発明によれば、編集エリア選択手段で選択されたエリアをディスプレイ画面に表示することにより、ディスプレイ画面を見ながら拡大縮小したい描画データを選択し、拡大縮小したい方向（縦方向のみ、横方向のみ、あるいは両方向）に全体サイズをディスプレイ画面を見ながら好みの倍率で拡大縮小することができる。また、その際に線幅を任意の倍率で変更することもできる。
請求項６の発明によれば、線幅の変更の実行可否を選択する機能を設けることにより、従来の描画データの全体サイズのみを拡大縮小した表示、あるいは全体サイズの拡大縮小の倍率と同じ倍率で線幅を拡大縮小した表示も選択できるようになり描画データの拡大縮小表示に関してユーザーの選択幅を広くすることができる。
【図面の簡単な説明】
【図１】本発明に係るディスプレイ装置の構成を示すブロック図である。
【図２】本発明に係るディスプレイ装置の第１の実施の形態における描画データの表示例を示す図である。
【図３】本発明に係るディスプレイ装置の第１の実施の形態における描画データの拡大表示例を示す図である。
【図４】本発明に係るディスプレイ装置の第１の実施の形態における描画データの縮小表示例を示す図である。
【図５】本発明に係るディスプレイ装置の第２の実施の形態における描画データの表示例を示す図である。
【図６】本発明に係るディスプレイ装置の第２の実施の形態における描画データの拡大表示例を示す図である。
【図７】本発明に係るディスプレイ装置の第２の実施の形態における描画データのＸ軸方向拡大表示の際の線幅の状態を示す図である。
【図８】本発明に係るディスプレイ装置の第２の実施の形態における描画データのＹ軸方向拡大表示の際の線幅の状態を示す図である。
【図９】本発明に係るディスプレイ装置の実施例を示す外観図である。
【図１０】従来のディスプレイ装置における描画データの拡大縮小表示の例を示す図である。
【符号の説明】
１０，１００    ディスプレイ装置
１１，１１０    タッチパネル
１２，１２０    ディスプレイ画面
１３    ＣＰＵ
１３ａ    編集エリア選択手段
１３ｂ    拡大縮小手段
２１〜２４    マーカー
１１１    タッチ面
１３０    パソコン
ｈｘ，ｈｙ，ｈｘｙ    ハンドル
ａ，ｂ，ｃ，ｄ，Ｐ，Ｑ，Ｒ，Ｓ    点
【図１】
2004239998.tif 000003
【図２】
2004239998.tif 000004
【図３】
2004239998.tif 000005
【図４】
2004239998.tif 000006
【図５】
2004239998.tif 000007
【図６】
2004239998.tif 000008
【図７】
2004239998.tif 000009
【図８】
2004239998.tif 000010
【図９】
2004239998.tif 000011
【図１０】
2004239998.tif 000012